(57)【特許請求の範囲】
【請求項１】
軸筒の先端側に嵌め込まれるキャップ本体を有する筆記具用のキャップにおいて、
前記キャップ本体の外表面には、側面側から見て、キャップ本体の中心軸線を交差するように傾斜して長手方向に延在するサイドラインが設けられ、前記サイドラインは凸状に形成されていることを特徴とする筆記具用のキャップ。
【請求項２】
一対の前記サイドラインは、前記キャップ本体に設けられたクリップの中心軸線と前記キャップ本体の前記中心軸線とを通る平面に関して鏡面対称であることを特徴とする請求項１記載の筆記具用のキャップ。
【請求項３】
前記サイドラインは、前記キャップ本体の略全長に渡って延在すると共に、曲線によって形成されていることを特徴とする請求項１又は２記載の筆記具用のキャップ。
【請求項４】
前記サイドラインの一端は、前記クリップを支持する台座の近傍に位置し、前記サイドラインの他端は、前記キャップ本体の前記中心軸線に関して前記台座と対角をなす部位の近傍に位置することを特徴とする請求項２又は３記載の筆記具用のキャップ。
【発明の詳細な説明】
【技術分野】
【０００１】
本発明は、ボールペン、マーキングペン、サインペン、万年筆、修正ペンなどの筆記具に利用されるキャップに関するものである。
【背景技術】
【０００２】
従来、このような分野の技術として、特開平１０−３２９４８６号公報がある。この公報に記載された筆記具用のキャップは、合成樹脂からなるキャップ本体に一体成形されたクリップを有し、キャップ本体の外面には凹凸状の指引掛かり部が設けられている。この指引掛かり部は、指が引っ掛かり易くするために、周方向に延在する３本のリング状凸部により形成されている。
【０００３】
【特許文献１】特開平１０−３２９４８６号公報
【発明の開示】
【発明が解決しようとする課題】
【０００４】
しかしながら、前述した指引掛かり部は、指の引っ掛かり位置が極めて限定されているので、指引掛かり部を指の腹が触ることなく、キャップを引き抜くような事態が起こり易く、これによって、キャップの引き抜きに余分な力が必要となる。しかも、リング状凸部の間の凹部にゴミも溜まり易いといった問題点がある。
【０００５】
本発明は、ゴミが溜まり難く、しかも指の引っ掛かりを確実なものにした筆記具用のキャップを提供することを目的とする。
【課題を解決するための手段】
【０００６】
本発明に係る筆記具用のキャップは、軸筒の先端側に嵌め込まれるキャップ本体を有する筆記具用のキャップにおいて、キャップ本体の外表面には、側面側から見て、キャップ本体の中心軸線を交差するように傾斜して長手方向に延在するサイドラインが設けられ、サイドラインは凸状に形成されていることを特徴とする。
【０００７】
本発明に係る筆記具用のキャップには、指の引っ掛かり部分として機能する凸状のサイドラインが、キャップの引き抜き方向(キャップ本体の中心軸線方向)に対して傾斜するように延在して形成されている。従って、キャップを軸筒から引き抜く際又はキャップを軸筒に嵌める際、指の腹の長手方向にサイドラインが圧着されることになるので、指のサイズの大小に拘わらず指の腹を確実に引っ掛かり部分に当接させることができ、余分な力を必要とせずに、キャップを軸筒に対して確実に引き抜いたり嵌めたりすることができる。特に、本発明に係るキャップが、軸筒に設けられたゴム製のグリップを覆うような場合、キャップの抜き差しに際して、キャップとグリップとの摩擦力が大きいので、指が引っ掛かる確率を良好にした本発明のキャップは特に効果的である。しかも、サイドラインは、キャップの引き抜き方向(キャップ本体の中心軸線方向)に対して傾斜するように延在しているので、ゴミが溜まり難く、キャップが汚れ難くなる。
【０００８】
また、一対のサイドラインは、キャップ本体に設けられたクリップの中心軸線とキャップ本体の中心軸線とを通る平面に関して鏡面対称であると好適である。
キャップ本体に設けられたクリップを境にして、キャップ本体の両側にサイドラインが対をなして配置されるので、キャップを指で挟み込む際に、指の腹に確実にサイドラインを当接させることができ、キャップを軸筒に対して確実に引き抜いたり嵌めたりすることができる。
【０００９】
また、サイドラインは、キャップ本体の略全長に渡って延在すると共に、曲線によって形成されていると好適である。
視覚的にキャップをスリムに見せることができ、キャップ本体に押し当てられた指の腹に、その全長に渡って凸状のサイドラインを確実に押し当てることができる。
【００１０】
また、サイドラインの一端は、クリップを支持する台座の近傍に位置し、サイドラインの他端は、キャップ本体の中心軸線に関して台座と対角をなす部位の近傍に位置すると好適である。
この構成は、クリップが設けられているキャップに最適である。
【発明の効果】
【００１１】
本発明によれば、ゴミが溜まり難く、しかも指の引っ掛かりを確実なものになる。
【発明を実施するための最良の形態】
【００１２】
以下、図面を参照しつつ本発明に係るボールペン用のキャップの好適な実施形態について詳細に説明する。なお、ペン先側を「前方側」として以下説明する。
【００１３】
図１に示すように、キャップ式ボールペン１は、透明な樹脂からなる円筒状の軸筒２と、軸筒２内に装填されているリフィール３と、軸筒２の後端で固定されている樹脂製の尾栓４と、軸筒２の先端側の蓋として機能するキャップ５と、軸筒２の外周の前側に固定されたゴム製の滑り止め用グリップ６とから構成されている。
【００１４】
さらに、キャップ５は、樹脂（例えばＰＥＴ）からなる円筒状のキャップ本体１０を有し、このキャップ本体１０には、Ｕ字状の板バネ１１を介して開閉自在なクリップ９が取付けられている。キャップ本体１０の頭端１０ａ側には開口１０ｂが設けられ、この開口１０ｂ内にキャップ駒１２が嵌め込まれている。
【００１５】
図２〜図７に示すように、キャップ５の外表面には、指Ｓの引っ掛かり部分として機能する凸状のサイドライン２０，２１が２本設けられている。各サイドライン２０，２１は、図３のように側面側から見て、キャップ本体１０の中心軸線Ｌ１をキャップ本体１０の略中央で交差するように傾斜して長手方向に延在している。各サイドライン２０，２１は、キャップ本体１０の略全長に渡って延在すると共に、曲線によって形成されている。そして、この曲線は、ｔａｎθのグラフの形状に近似した形状を有している。
【００１６】
さらに、前述したキャップ本体１０は、軸筒２に設けられたゴム製のグリップ６を覆うように軸筒２に装着されるので、キャップ５を嵌めたり外したりするときに、キャップ本体１０とグリップ６との摩擦力が大きくなる。そこで、この摩擦力を可能な限り低減させるために、キャップ本体１０の内表面には、中心軸線Ｌ１方向に直線的に延在する６本の凸条部２２が設けられている。そして、断面山形をなす各凸条部２２の頂部が、軸筒２に装着されたゴム製の滑り止め用グリップ６の表面に接触することで、グリップ６に対してキャップ５を滑り易くしている。
【００１７】
なお、図６に示すように、キャップ本体１０の内表面には、山状の突起部２４が設けられ、各突起部２４が、軸筒２の先端側に設けられた凹み部(図示せず)内に入り込むことで、キャップ５を軸筒２から外れ難くしている。
【００１８】
従って、キャップ５を軸筒２から引き抜く際又はキャップ５を軸筒２に嵌める際、指Ｓの腹の長手方向にサイドライン２０，２１が圧着されることになるので、指Ｓのサイズの大小に拘わらず指Ｓの腹をサイドライン２０，２１の引っ掛かり部分に確実に当接させることができ、余分な力を必要とせずに、キャップ５を軸筒２に対して確実に引き抜いたり嵌めたりすることができる。特に、軸筒２に設けられたゴム製のグリップ６はキャップ５で覆われているので、キャップ５の抜き差しの際に、キャップ５とグリップ６との摩擦力が比較的大きくなるが、このような場合でも、指Ｓが引っ掛かる確率を良好にした本発明に係るキャップ５は効果的である。しかも、サイドライン２０，２１は、キャップ５の引き抜き方向(キャップ本体１０の中心軸線Ｌ方向)に対して傾斜するように延在しているので、ゴミ溜まりができ難く、キャップ５が汚れ難くなる。
【００１９】
さらに、各サイドライン２０，２１は、キャップ本体１０の略全長に渡って延在すると共に、ｔａｎθのグラフの形状に近似した曲線によって形成されている。従って、視覚的にキャップ５をスリムに見せることができ、キャップ本体１０に押し当てられた指Ｓの腹に、その全長に渡って凸状のサイドライン２０，２１を確実に押し当てることができる。
【００２０】
さらに、一対のサイドライン２０，２１は、キャップ本体１０の中心軸線Ｌ１とクリップ９の中心軸線Ｌ２とを通る平面に関して鏡面対称である。すなわち、図３のように側面側から見て、一方のサイドライン２０と他方のサイドライン２１とは重なり合う。このように、クリップ９を境にして、キャップ本体１０の両側にサイドライン２０，２１が対をなして配置されるので、キャップ５を指Ｓで挟み込む際に、指Ｓの腹に確実にサイドライン２０，２１を当接させることができ、キャップ５を軸筒２に対して確実に引き抜いたり嵌めたりすることができる。
【００２１】
さらに、サイドライン２０，２１の一端は、クリップ９を支持する台座２３(図２参照)の近傍に位置し、サイドライン２０，２１の他端は、キャップ本体１０の中心軸線Ｌ１に関して台座２２と対角をなす部位Ｐ(図５参照)の近傍に位置する。このようなサイドライン２０，２１の形状は、クリップ９が設けられているキャップ５に最適である。
【００２２】
本発明は、前述した実施形態に限定されないことは言うまでもない。
例えば、図８に示すように、キャップ５Ａにおいて、各サイドライン２０は、側面側から見て、クロスする２本の曲線的なサイドライン２０ａ，２０ｂにより形成させてもよい。なお、図示しないが、サイドライン２１も、サイドライン２０に対して鏡面対称の関係をもってクロスしている。
【００２３】
また、図９に示すように、キャップ５Ｂにおいて、各サイドライン２５は、側面側から見て、直線的であってもよい。また、図１０に示すように、キャップ５Ｃにおいて、サイドライン２６は、側面側から見て、クロスする２本の直線的なサイドライン２６ａ，２６ｂにより形成させてもよい。また、図示しないが、サイドラインは、キャップ本体１０の外表面上で半回転以上の螺旋を描いて延在してもよい。
【００２４】
本発明に係るキャップ５は、ボールペンに限らず、マーキングペン、サインペン、万年筆、修正ペンなどの様々な筆記具に利用できる。
【図面の簡単な説明】
【００２５】
【図１】本発明に係る筆記具用のキャップが適用されるボールペンを示す断面図である。
【図２】本発明に係る筆記具用のキャップの第1実施形態を示す斜視図である。
【図３】図２に示されたキャップの側面図である。
【図４】キャップの平面図である。
【図５】キャップの底面図である。
【図６】図３のＶＩ−ＶＩ線に沿う断面図である。
【図７】図３のＶII−ＶII線に沿う断面図である。
【図８】本発明に係る筆記具用のキャップの第２実施形態を示す側面図である。
【図９】本発明に係る筆記具用のキャップの第３実施形態を示す側面図である。
【図１０】本発明に係る筆記具用のキャップの第４実施形態を示す側面図である。
【符号の説明】
【００２６】
１…ボールペン、２…軸筒、５，５Ａ，５Ｂ，５Ｃ…キャップ、６…グリップ、９…クリップ、１０…キャップ本体、２０，２１，２０ａ，２０ｂ，２５，２６，２６ａ，２６ｂ…サイドライン、２３…台座、Ｌ１…キャップ本体の中心軸線、Ｌ２…クリップの中心軸線、Ｓ…指。
【図１】
0004965408.tif 000002
【図２】
0004965408.tif 000003
【図３】
0004965408.tif 000004
【図４】
0004965408.tif 000005
【図５】
0004965408.tif 000006
【図６】
0004965408.tif 000007
【図７】
0004965408.tif 000008
【図８】
0004965408.tif 000009
【図９】
0004965408.tif 000010
【図１０】
0004965408.tif 000011